(57)【要約】【課題】投影画像を視認したことに起因する聴講者のデータ取得要求に応ずることのできるようにする。【解決手段】聴講者が何らかの理由で表示されたスライド画像の取得を希望する場合には、自己のパソコンにおいてデータ要求操作を行う。すると、プロジェクタにデータ要求信号を送信する（ＳＡ２）。次に、プロジェクタから送信されるデータ要求否決信号を受信したか否かを判断する（ＳＡ３）。このデータ要求否決信号を受信した場合には、以降の処理を実行することなく、否決報知を行い（ＳＡ４）、しかる後にＳＡ１に戻って、データ要求操作待ちの状態に戻る。データ要求否決信号を受信しなかった場合には、プロジェクタ側から送信されてくるデータを受信し（ＳＡ５）、保存する（ＳＡ７）。【選択図】図５
2009229642.tif 000002
【特許請求の範囲】
【請求項１】
投影装置、及びこの投影装置と通信可能に接続された複数の端末装置で構成される投影システムであって、
前記投影装置は、
データを記憶する第１の記憶手段と、
この第１の記憶手段に記憶されたデータに基づき画像を投影する投影手段と、
前記端末装置から送信されるデータ要求を受信する第１の受信手段と、
この第１の受信手段による前記データ要求の受信に応じて、前記投影手段が投影している画像のデータを前記記憶手段から読み出して送信する第１の送信手段とを備え、
前記端末装置は、
操作に応じて前記データ要求を送信する第２の送信手段と、
前記投影装置から送信された前記データを受信する第２の受信手段と、
この第２の受信手段により受信された前記データを記憶する第２の記憶手段と
を備えることを特徴とする投影システム。
【請求項２】
前記投影装置は、前記第１の送信手段による前記データの送信の可否を決定する可否決定手段を備え、
前記第１の送信手段は、前記可否決定手段により可決された場合に、前記データを送信することを特徴とする請求項１記載の投影システム。
【請求項３】
前記可否決定手段は、前記データ要求を送信した端末装置を識別する端末識別手段を備え、
前記第１の送信手段は、前記端末識別手段により所定に識別された端末装置に前記データを送信することを特徴とする請求項２記載の投影システム。
【請求項４】
前記第２の送信手段は、当該端末装置に付与された識別データを前記データ要求とともに送信し、
前記第１の受信手段は、前記データ要求とともに前記識別データを受信し、
前記端末識別手段は、前記第１の受信手段により受信された前記識別データに基づき、前記データ要求を送信した端末装置を識別することを特徴とする請求項３記載の投影システム。
【請求項５】
前記端末識別手段は、
前記端末装置毎に付与された識別データを記憶した識別データ記憶手段と、
この識別データ記憶手段に記憶された識別データと前記第１の受信手段により受信された識別データとを比較する比較手段とを備え、
この比較手段の比較結果に基づき、前記データ要求を送信した端末装置を識別することを特徴とする請求項３又は４記載の投影システム。
【請求項６】
前記第１の送信手段は、前記端末識別手段により識別された端末装置毎に異なる周波数で前記データを送信し、
前記第２の受信手段は、前記第１の送信手段から送信された当該端末装置に設定されている周波数のデータを受信することを特徴とする請求項３、４又は５記載の投影システム。
【請求項７】
前記可否決定手段が、前記第１の送信手段による前記データの送信を否決した場合において、前記第１の送信手段は否決情報を送信し、
前記端末装置は、前記第２の受信手段により前記否決情報を受信するとともに、この受信した否決情報に基づき否決を報知する報知手段を備えることを特徴とする請求項２から６にいずれか記載の投影システム。
【請求項８】
前記第１の記憶手段に記憶されたデータには、データ毎に送信の可否を示す可否情報が付加され、
前記可否決定手段は、前記データに付加されている可否情報に基づき、前記第１の送信手段による前記データの送信の可否を決定することを特徴とする請求項２から７にいずれか記載の投影システム。
【請求項９】
前記投影装置は、前記第１の送信手段の送信履歴を記憶する送信履歴記憶手段を備えることを特徴とする請求項１から８にいずれか記載の投影システム。
【請求項１０】
前記送信履歴記憶手段に記憶される送信履歴には、送信した端末を特定する事項、送信したデータを特定する事項、送信した日時情報の少なくとも一つが含まれることを特徴とする請求項９記載の投影システム。
【請求項１１】
投影装置、及びこの投影装置と通信可能に接続された複数の端末装置で構成される投影システムにおける前記投影装置であって、
データを記憶する記憶手段と、
この記憶手段に記憶されたデータに基づき画像を投影する投影手段と、
前記端末装置から送信されるデータ要求を受信する受信手段と、
この受信手段による前記データ要求の受信に応じて、前記投影手段が投影している画像のデータを前記記憶手段から読み出して送信する送信手段と
を備えることを特徴とする投影装置。
【発明の詳細な説明】
【技術分野】
【０００１】
本発明は、投影装置、及びこの投影装置と通信可能に接続された複数の端末装置とで構成される投影システムに関する。
【背景技術】
【０００２】
従来、プロジェクタとパソコンとを無線接続したシステムが提案されるに至っている（例えば、特許文献１参照。）。したがって、このシステムを用いることにより、ケーブルを配索することなく、説明者によるパソコンでの操作に応じて、プロジェクタの投影画像を切り換え変化させながら、プレゼンテーションを行うことができる。
【特許文献１】特開２０００−２２２１６３号公報
【発明の開示】
【発明が解決しようとする課題】
【０００３】
前述のようなプロジェクタを用いたプレゼンテーションにおいては、投影画像の切り替えが、説明者の意思に従って行われることとなる。したがって、投影時間内において聴講者が画像の示す内容を理解しきれない場合等、聴講者にとって画像の投影時間が必ずしも適切でない場合が生ずる。また、投影時間は適切であっても、聴講者において後日画像が示す内容について詳細に検討したい場合もある。
【０００４】
したがって、プロジェクタを用いたプレゼンテーションにおいては、聴講者が投影画像を視認したことに起因して、当該投影画像データの取得を欲する場合が生ずる。しかるに、従来のシステムにあっては、投影画像を視認したことに起因する聴講者の投影画像データの取得要求に応じることはできず、聴講者において満足すべきものではなかった。
【０００５】
本発明は、かかる従来の課題に鑑みてなされたものであり、投影画像を視認したことに起因する聴講者のデータ取得要求に応ずることのできる投影システム及び投影装置を提供することを目的とする。
【課題を解決するための手段】
【０００６】
前記課題を解決するため請求項１記載の発明に係る投影システムにあっては、投影装置、及びこの投影装置と通信可能に接続された複数の端末装置で構成される投影システムであって、前記投影装置は、データを記憶する第１の記憶手段と、この第１の記憶手段に記憶されたデータに基づき画像を投影する投影手段と、前記端末装置から送信されるデータ要求を受信する第１の受信手段と、この第１の受信手段による前記データ要求の受信に応じて、前記投影手段が投影している画像のデータを前記記憶手段から読み出して送信する第１の送信手段とを備え、前記端末装置は、操作に応じて前記データ要求を送信する第２の送信手段と、前記投影装置から送信された前記データを受信する第２の受信手段と、この第２の受信手段により受信された前記データを記憶する第２の記憶手段とを備えることを特徴とする。
【０００７】
また、請求項２記載の発明に係る投影システムにあっては、前記投影装置は、前記第１の送信手段による前記データの送信の可否を決定する可否決定手段を備え、前記第１の送信手段は、前記可否決定手段により可決された場合に、前記データを送信することを特徴とする。
【０００８】
また、請求項３記載の発明に係る投影システムにあっては、前記可否決定手段は、前記データ要求を送信した端末装置を識別する端末識別手段を備え、前記第１の送信手段は、前記端末識別手段により所定に識別された端末装置に前記データを送信することを特徴とする。
【０００９】
また、請求項４記載の発明に係る投影システムにあっては、前記第２の送信手段は、当該端末装置に付与された識別データを前記データ要求とともに送信し、前記第１の受信手段は、前記データ要求とともに前記識別データを受信し、前記端末識別手段は、前記第１の受信手段により受信された前記識別データに基づき、前記データ要求を送信した端末装置を識別することを特徴とする。
【００１０】
また、請求項５記載の発明に係る投影システムにあっては、前記端末識別手段は、前記端末装置毎に付与された識別データを記憶した識別データ記憶手段と、この識別データ記憶手段に記憶された識別データと前記第１の受信手段により受信された識別データとを比較する比較手段とを備え、この比較手段の比較結果に基づき、前記データ要求を送信した端末装置を識別することを特徴とする。
【００１１】
また、請求項６記載の発明に係る投影システムにあっては、前記第１の送信手段は、前記端末識別手段により識別された端末装置毎に異なる周波数で前記データを送信し、前記第２の受信手段は、前記第１の送信手段から送信された当該端末装置に設定されている周波数のデータを受信することを特徴とする。
【００１２】
また、請求項７記載の発明に係る投影システムにあっては、前記可否決定手段が、前記第１の送信手段による前記データの送信を否決した場合において、前記第１の送信手段は否決情報を送信し、前記端末装置は、前記第２の受信手段により前記否決情報を受信するとともに、この受信した否決情報に基づき否決を報知する報知手段を備えることを特徴とする。
【００１３】
また、請求項８記載の発明に係る投影システムにあっては、前記第１の記憶手段に記憶されたデータには、データ毎に送信の可否を示す可否情報が付加され、前記可否決定手段は、前記データに付加されている可否情報に基づき、前記第１の送信手段による前記データの送信の可否を決定することを特徴とする。
【００１４】
また、請求項９記載の発明に係る投影システムにあっては、前記投影装置は、前記第１の送信手段の送信履歴を記憶する送信履歴記憶手段を備えることを特徴とする。
【００１５】
また、請求項１０記載の発明に係る投影システムにあっては、前記送信履歴記憶手段に記憶される送信履歴には、送信した端末を特定する事項、送信したデータを特定する事項、送信した日時情報の少なくとも一つが含まれることを特徴とする。
【００１６】
また、請求項１１記載の発明に係る投影装置にあっては、投影装置、及びこの投影装置と通信可能に接続された複数の端末装置で構成される投影システムにおける前記投影装置であって、データを記憶する記憶手段と、この記憶手段に記憶されたデータに基づき画像を投影する投影手段と、前記端末装置から送信されるデータ要求を受信する受信手段と、この受信手段による前記データ要求の受信に応じて、前記投影手段が投影している画像のデータを前記記憶手段から読み出して送信する送信手段とを備えることを特徴とする。
【発明の効果】
【００１７】
本発明によれば、投影画像を視認したことに起因する聴講者のデータ取得要求に応ずることができる。よって、聴講者にとって満足度の高いプレゼンテーションを提供することが可能となる。
【発明を実施するための最良の形態】
【００１８】
以下、本発明の一実施の形態を図に従って説明する。図１は、本発明の一実施の形態に係るプレゼンテーションシステムの構成を示すブロック図である。このプレゼンテーションシステムは、プレゼンテーション会場内に配置されたプロジェクタ１と、このプロジェクタ１に無線接続された複数のパソコン５（５−１、５−２、５−３・・・）で構成されている。プロジェクタ１は、当該プレゼンテーションにおける説明者により操作され、パソコン５・・・は各々異なる聴講者に貸与されているか、あるいは各聴講者が所有しているものであり、当該聴講者により操作される。
【００１９】
図２は、前記プロジェクタ１の回路構成を示すブロック図である。このプロジェクタ１は、制御部１１、入出力インターフェイス１２、画像変換部１３、表示エンコーダ１４、表示駆動部１５等を有するものであって、入出力コネクタ部１６から入力された各種規格の画像信号は、入出力インターフェイス１２、システムバス１７を介して、画像変換部１３で表示に適した所定フォーマットの画像信号に統一するように変換された後、表示エンコーダ１４に送られる。
【００２０】
表示エンコーダ１４は、送られてきた画像信号をビデオＲＡＭ１８に展開記憶させた上で、このビデオＲＡＭ１８の記憶内容からビデオ信号を生成して表示駆動部１５に出力するものである。
【００２１】
表示エンコーダ１４からビデオ信号が入力される表示駆動部１５は、送られてきた画像信号に対応して適宜フレームレートで空間的光変調素子（ＳＯＭ）である表示素子１９を駆動する。そして、光源装置２０から射出された光線束を光源側光学系を介して表示素子１９に入射することにより、表示素子１９の反射光で光像を形成し、投影側光学系とする可動レンズ群２１を介して図示しないスクリーンに画像を投影表示する。この投影側光学系の可動レンズ群２１は、レンズモータ２２によりズーム調整やフォーカス調整のための駆動が行われる。
【００２２】
画像圧縮／伸張部２３は、画像信号における輝度信号及び色差信号をＡＤＴＣ及びハフマン符号化等の処理により、データ圧縮して着脱自在な記録媒体であるメモリカード２４に書き込む記録処理や、メモリカード２４に記録された画像データを読み出し、一連の動画を構成する個々の画像データを１フレーム単位で伸張して画像変換部１３を介して表示エンコーダ１４に送り、メモリカード２４に記憶された画像データに基づいて動画等の表示を可能にするものである。
【００２３】
制御部１１は、プロジェクタ１内における各回路の動作を制御するものであって、ＣＰＵ及びその周辺回路、ＲＯＭ１１１、ＲＡＭ１１２等で構成されている。ＲＯＭ１１１には、ＣＰＵや各種セッティング等のプログラム、後述するフローチャートにより示すプログラムやデータ等が予め記憶されており、ＲＡＭ１１２は、ワークメモリ等として使用される。
【００２４】
キー／インジケータ部２５は、本体ケース等に設けられているメインキー及びインジケータ等により構成され、その操作信号は制御部１１に送出される。また、リモートコントローラからのキー操作信号は、Ｉｒ受信部２６で受信され、Ｉｒ処理部２７で復調されてコード信号が制御部１１に送られる。
【００２５】
また、前記パソコン５からの無線信号は無線通信部２８で受信され、無線通信処理部２９で復調されて制御部１１に送られる。また、パソコン５への無線信号は、制御部１１から無線通信処理部２９に送られて変調された後、無線通信部２８から送信される。
【００２６】
なお、制御部１１には、システムバス１７を介して音声処理部３０が接続されており、音声処理部３０はＰＣＭ音源等の音源回路を備え、投影モード及び再生モード時には、音声データをアナログ化し、スピーカ３１を駆動して拡声放音させることができる。
【００２７】
また、制御部１１は、光源制御回路３２を制御することにより、画像信号に応じて赤色光源、緑色光源、青色光源を時分割制御している。さらに、冷却ファン駆動制御回路３３には、光源装置２０等に設けられた複数のセンサによる温度検出を行わせて、冷却ファンの回転速度を制御させ、タイマー等によりプロジェクタ本体の電源オフ後も冷却ファンの回転を持続させ、温度センサによる温度検出の結果によっては、プロジェクタ本体の電源をオフにする制御も行う。
【００２８】
前記ＲＡＭ１１２には、図３に示すパソコンデータテーブルＴが格納されている。このパソコンデータテーブルＴには、前記各パソコン５−１、５−２、５−３・・・毎に、予め設定された固有識別符号であるパソコンＩＤが記憶されているとともに、各５−１、５−２、５−３・・・毎に異なる送信周波数が記憶されている。したがって、制御部１１は、無線通信部２８により受信されて無線通信処理部２９から送られてくるパソコンＩＤに基づき、受信した相手パソコンを特定することが可能である。また、送信時には受信したパソコンＩＤに対応する送信周波数で送信を行うことにより、当該パソコンに対してのみデータを送信することも可能である。
【００２９】
図４は、前記パソコン５の構成を示すブロック図である。図示のように、このパソコン５は、バス５１を介して互いに接続された制御部５２、ＨＤＤ（Hard Disk）５３、ＲＡＭ（Random Access Memory）５４、サウンド処理部５５、グラフィック処理部５６、ＤＶＤ／ＣＤ−ＲＯＭドライブ５７、無線通信処理部５８、及びインターフェイス部５９を備えている。
【００３０】
制御部５２は、ＣＰＵ（Central Processing Unit）、ＲＯＭ（Read Only Memory）等で構成され、ＲＯＭに記憶されているブートプログラムやＯＳ（Operating System）等の基本プログラムに基づき、ＲＡＭ５４に記憶されたプログラムを順次実行して、各種処理等を行うとともに、パソコン５本体内の各部の動作を制御する。ＨＤＤ５３には、無線通信処理部５８を介して外部から取り込んだ画像データ等が記憶される。
【００３１】
ＲＡＭ５４は、メインメモリとして使用されるもので、ＤＶＤ／ＣＤ−ＲＯＭから転送された、プログラムやデータを記憶する。ＲＡＭ５４は、また、プログラム実行時におけるワークエリアとしても使用される。サウンド処理部５５は、制御部５２からの指示に従って、サウンドデータを再生するための処理を行い、音声信号として出力するとともに、この音声信号を再生するスピーカを含む。
【００３２】
グラフィック処理部５６は、制御部５２からの指示に従って各種画像データを生成し、また、生成した画像データに所定の同期信号を付加して、ビデオ信号として表示部６１に出力する。ＤＶＤ／ＣＤ−ＲＯＭドライブ５７は、制御部５２からの指示に従って、パソコン５にセットされたＤＶＤ／ＣＤ−ＲＯＭを駆動し、ＤＶＤ／ＣＤ−ＲＯＭに格納されているプログラムやデータを、バス５１を介してＲＡＭ５４に転送する。
【００３３】
無線通信処理部５８には、無線通信部６４が接続されている。そして、前記プロジェクタ１からの無線信号は無線通信部６４で受信され、無線通信処理部５８で復調されて制御部５２に送られる。また、パソコン５への無線信号は、制御部５２から無線通信処理部５８に送られて変調された後、無線通信部６４から送信される。
【００３４】
なお、前記ＲＡＭ５４には、当該パソコン５に設定されて、前記プロジェクタ１のＲＡＭ１１２に記憶されているパソコンＩＤと同一のパソコンＩＤが記憶されているとともに、当該パソコン５の受信周波数が記憶されている。したがって、制御部５２は、無線通信処理部５８及び無線通信部６４を介しての送信時に自機のパソコンＩＤを送信することが可能である。また、受信時にはＲＡＭ５４に記憶されている受信周波数で無線通信部６４が受信を行うように制御することにより、当該パソコン５のみに対して送信されたデータを受信することも可能である。
【００３５】
インターフェイス部５９には、キーボード６２とマウス６３とが接続される。このインターフェイス部５９では、キーボード６２及びマウス６３と制御部５２やＲＡＭ５４との間のデータの授受を制御する。ＨＤＤ５３は、各種プログラムや後述するフローチャートに示すプログラムや各種データを格納している。表示部６１は、グラフィック処理部５６からのビデオ信号に対応する画像を表示する液晶パネル等からなる表示画面を備えている。
【００３６】
以上の構成に係る本実施の形態において、プロジェクタ１の制御部１１は、説明者による電源投入に伴い動作を開始した後、当該プレゼンテーションにおいて用いるスライド画像データを入出力コネクタ部１６から入出力インターフェイス１２を介して取り込み、ＲＡＭ１１２に格納する。そして、説明者の操作に応じて画像データをＲＡＭ１１２から読み出し、画像変換部１３で変換し、表示エンコーダ１４により画像信号をビデオＲＡＭ１８に展開記憶させた上で、このビデオＲＡＭ１８の記憶内容からビデオ信号を生成して表示駆動部１５に出力する。表示駆動部１５は、送られてきた画像信号に対応して表示素子１９を駆動し、光源装置２０から射出された光線束を光源側光学系を介して表示素子１９に入射させることにより、表示素子１９の反射光で光像を形成し、レンズ群２１を介して図示しないスクリーンにスライド画像が投影表示する。
【００３７】
したがって、スクリーンに投影表示されたスライド画像に基づき説明者が説明を行い、説明者の操作に応じてＲＡＭ１１２から順次スライド画像を読み出すことにより、説明に伴ってスクリーンに表示されるスライド画像を変化させつつ、プレゼンテーションが進行していく。
【００３８】
一方、パソコン５の制御部５２は、前記ＲＡＭ５４に記憶されたプログラムに基づき、図５のフローチャートに示すように処理を実行する。すなわち、キーボード６２あるいはマウス６３の操作情報に基づき、データ要求操作があったか否かを常時監視する（ステップＳＡ１）。このとき、前述のようにプレゼンテーションが進行している状態において、聴講者が表示されたスライド画像をもっと見たい場合、表示されたスライド画像を自己のデータとして保存したい場合等、聴講者が何らかの理由で表示されたスライド画像の取得を希望する場合には、自己のパソコン５において前記データ要求操作を行う。
【００３９】
すると、ステップＳＡ１の判断がＹＥＳとなる。したがって、ステップＳＡ１からステップＳＡ２に進みＰＪ（プロジェクタ１）にデータ要求信号を送信する。このデータ要求信号には、当該パソコン５のパソコンＩＤが含まれている。また、このデータ要求信号の送信周波数は、前記各パソコン毎に設定されているパソコン毎に異なる送信周波数で行ってもよいし、共通する単一の送信周波数で行ってもよい。
【００４０】
次に、プロジェクタ１から送信されるデータ要求否決信号を受信したか否かを判断する（ステップＳＡ３）。このデータ要求否決信号を受信した場合には、以降の処理を実行することなく、否決報知を行い（ステップＳＡ４）、しかる後にステップＳＡ１に戻って、データ要求操作待ちの状態に戻る。この否決報知は、サウンド処理部５５からの放音によって行ってもよいが、プレゼンテーション中であることを考慮すると、表示部６１での表示によって行うことが好ましい。
【００４１】
したがって、パソコン５側からデータ要求を行っても、プロジェクタ１側においてこのデータ要求を否決した場合には、データ要求を行ったパソコン５にデータが送信されることはない。よって、データを主導的にプロジェクタ１側において管理することができる。
【００４２】
また、ステップＳＡ３での判断の結果、データ要求否決信号を受信しなかった場合には、後述するように引き続きプロジェクタ１側から送信されてくるデータを受信する（ステップＳＡ５）。さらに、このデータの受信を完了したか否かを判断する（ステップＳＡ６）。受信を完了していない場合には、一定時間が経過したか否かを判断し（ステップＳＡ８）、一定時間が経過していない場合には、ステップＳＡ５に戻る。
【００４３】
したがって、データの受信を完了するか、又は一定時間が経過するまでステップＳＡ５→ＳＡ６→ＳＡ８→ＳＡ５のループが繰り返される。このループが繰り返されている状態において、データの受信を完了することなく一定時間が経過すると、ステップＳＡ８の判断がＹＥＳとなる。よって、ステップＳＡ８からステップＳＡ９に進み、受信失敗を報知する。この報知も、プレゼンテーション中であることを考慮すると、表示部６１での表示によって行うことが好ましい。
【００４４】
したがって、当該パソコン５の聴講者がこの表示部６１に表示された「受信失敗」を視認することにより、要求したデータが受信できなかったことを知ることができ、これにより、要求したデータが自己のパソコン５に保存されたとの誤解の発生を未然に防止することができる。
【００４５】
また、前記ループが繰り返されている状態において、一定時間が経過することなくデータの受信を完了すると、ステップＳＡ６の判断がＹＥＳとなる。したがって、ステップＳＡ６からステップＳＡ７に進み、受信データをＨＤＤ５３あるいはＲＡＭ５４に保存する。
【００４６】
これにより、前記表示されたスライド画像の取得を希望した聴講者は、自己のパソコン５において本来投影するスライド画像のデータを送信する対象のプロジェクタ１から当該スライド画像のデータを受信することができる。
【００４７】
他方、プロジェクタ１の制御部１１は、ＲＯＭ１１１に記憶されたプログラムに基づき、図６のフローチャートに示すように処理を実行する。すなわち、前述のようにＲＡＭ１１２に格納されているスライド画像のデータを読み出す（ステップＳＢ１）。そして、画像変換部１３で変換し、表示エンコーダ１４により画像信号をビデオＲＡＭ１８に展開記憶させた上で、このビデオＲＡＭ１８の記憶内容からビデオ信号を生成して表示駆動部１５に出力する。表示駆動部１５が、送られてきた画像信号に対応して表示素子１９を駆動し、光源装置２０から射出された光線束を光源側光学系を介して表示素子１９に入射することにより、表示素子１９の反射光で光像を形成し、レンズ群２１を介して図示しないスクリーンにスライド画像を投影する（ステップＳＢ２）。
【００４８】
次に、前記データ要求信号を受信したか否かを判断し（ステップＳＢ３）、データ要求信号を受信しない場合には、ステップＳＢ１に戻る。したがって、データ要求信号を受信するまでは、ステップＳＢ１〜ＳＢ３のループが繰り返される。よって前述のように、スクリーンに投影表示されたスライド画像に基づき説明者が説明を行い、説明者の操作に応じてＲＡＭ１１２から順次スライド画像を読み出すことにより、説明に伴ってスクリーンに表示されるスライド画像を変化させつつ、プレゼンテーションが進行していく。
【００４９】
このとき、前記ステップＳＡ１の処理が実行されて、いずれかのパソコン５からデータ要求信号が送信されると、これを受信することによりステップＳＢ３の判断がＹＥＳとなる。したがって、ステップＳＢ３からステップＳＢ４に進み、要求があったＰＣ（パソコン）を識別する。
【００５０】
つまり、前述のように、パソコン５から送信されるデータ要求信号には、当該パソコン５のパソコンＩＤが含まれている。したがって、受信したデータ要求信号中のパソコンＩＤと、前記パソコンデータテーブルＴに記憶されているパソコンＩＤとを比較することにより、要求のあったパソコン５のパソコンＩＤが当該プレゼンテーションにおいて聴講者により使用されているパソコン５−１、５−２、５−３・・・のいずれであるかを識別する。
【００５１】
さらに、この識別の結果、データ要求を承認できるか否か、つまり承認がＯＫであるかＮＧであるかを判断する（ステップＳＢ５）。このステップＳＢ５の承認判断に際しては、以下の判断態様のいずれであってもよい。
【００５２】
（１）受信したパソコンＩＤがパソコンデータテーブルＴに記憶されている場合には「ＯＫ」、記憶されていない場合には「ＮＧ」。
（２）パソコンデータテーブルＴに、更に「優待聴講者」であるか「一般聴講者」であるかを記憶しておき、受信したパソコンＩＤがパソコンデータテーブルＴに記憶されている「優待聴講者」のパソコンＩＤである場合にのみ「ＯＫ」、「一般聴講者」のパソコンＩＤの場合は「ＮＧ」。
（３）投影されるスライド画像データ毎に、「持ち出し可」「持ち出し不可」のフラグを記憶させておき、当該データが「持ち出し可」でかつ前記（１）又は（２）が「ＯＫ」であった場合は「ＯＫ」、「持ち出し不可」であった場合は全て「ＮＧ」。
（４）スライド画像が投影された際に、説明者により「持ち出し不可」操作がなされた場合には全て「ＮＧ」、説明者により「持ち出し不可」操作がなされずかつ前記（１）又は（２）が「ＯＫ」であった場合は「ＯＫ」。
（５）プロジェクタ１でのスイッチ操作により、データ送信許可モードとデータ送信禁止モードとを選択的に設定可能とし、データ送信許可モードが設定されている場合は、前記（１）又は（２）が「ＯＫ」であった場合は「ＯＫ」、データ送信禁止モードが設定されている場合は全て「ＮＧ」。
【００５３】
そして、ステップＳＢ５での判断の結果、ＹＥＳ（ＯＫ）である場合には、投影中のデータを要求のあったＰＣに送信する（ステップＳＢ６）。つまり、投影中のデータをＲＡＭ１１２又はビデオＲＡＭ１８から読み出すとともに、前記ステップＳＢ４で識別したパソコンＩＤに対応する送信周波数をパソコンデータテーブルＴから読み出す。そして、この読み出した送信周波数で変調した信号に重畳させて投影中のデータを無線通信処理部２９及び無線通信部２８を介して送信する。
【００５４】
これにより、プロジェクタ１側から送信された投影中のデータは、データ要求を行ったパソコン５においてのみ受信可能となり、要求のあったＰＣのみに投影中のデータを送信することができる。
【００５５】
これを受信したパソコン５は、前述のように受信データをＨＤＤ５３あるいはＲＡＭ５４に保存する。したがって、当該パソコン５の聴講者は、後日保存されたデータを視認してプレゼンテーションの理解を深めたり、データを活用する等が可能となる。
【００５６】
よって、投影画像を視認したことに起因する聴講者のデータ取得要求に応ずることができ、聴講者にとって満足度の高いプレゼンテーションを提供することが可能となる。
【００５７】
また、ステップＳＢ６に続くステップＳＢ７においては、データ送信実績をＲＡＭ１１２あるいはメモリカード２４に記憶する。このデータ送信実績は、例えば下記の事項の少なくとも一つを含む。
（Ａ）データを送信したパソコンを特定できる事項（パソコンＩＤ）
（Ｂ）送信したデータを特定できる事項（データ番号等）
（Ｃ）データを送信した日時
【００５８】
したがって、これらのデータ送信実績がプロジェクタ１側に記憶されることにより、プレゼンテーションで用いたデータの分散状況をプレゼンテーション開催者において把握することができる。
【００５９】
一方、前記ステップＳＢ５での判断の結果が、ＮＯ（ＮＧ）である場合には、前述したステップＳＢ６のデータ送信処理を実行することなく、ステップＳＢ８に進む。そして、前記ステップＳＢ４での識別結果に基づき、受信したデータ要求信号中のパソコンＩＤと、前記パソコンデータテーブルＴに記憶されているパソコンＩＤのいずれかが一致したか否かを判断する（ステップＳＢ８）。
【００６０】
このステップＳＢ８の判断の結果、一致している場合は（ＹＥＳ）、正当な聴講者のパソコン５からの送信要求ではあるが、承認はＮＧとなった場合である。このような場合とは、前記（１）を除く（２）〜（５）において、承認がＮＧとなった場合である。
【００６１】
具体的には、
・前記（２）の場合において、正当な聴講者ではあるが、「優待聴講者」ではなく「一般聴講者」であるが故に承認はＮＧとなった場合。
・前記（３）の場合において、正当な聴講者ではあるが、「持ち出し不可」のデータに対する送信要求であった故に承認はＮＧとなった場合。
・前記（４）の場合において、正当な聴講者ではあるが、説明者により「持ち出し不可」操作がなされたが故に承認はＮＧとなった場合。
・前記（５）の場合において、正当な聴講者ではあるが、データ送信禁止モードが設定されているが故に承認はＮＧとなった場合。
【００６２】
そして、このような場合には、ステップＳＢ８からステップＳＢ９に進み、データ要求のあったパソコン５に対してデータ要求否決信号を送信する。
【００６３】
したがって、前記（２）の場合には、正当な聴講者からの要求であっても「優待聴講者」に対してはデータが送信されるが、「一般聴講者」には要求否決信号が送信されることとなる。よって、前記ステップＳＡ４でこの否決信号に基づく否決報知がなされることにより、一般聴講者であるが故にデータ要求が否決されたことを知らしめることができる。
【００６４】
また、前記（３）の場合には、正当な聴講者からの要求であっても、「持ち出し不可」のデータに対する送信要求であった場合には、要求否決信号が送信されることとなる。したがって、前記ステップＳＡ４でこの否決信号に基づく否決報知がなされることにより、「持ち出し不可」データであるが故にデータ要求が否決されたことを知らしめることができる。
【００６５】
また、前記（４）の場合には、正当な聴講者からの要求であっても、説明者により「持ち出し不可」操作がなされたデータに対する送信要求があった場合には、要求否決信号が送信されることとなる。したがって、前記ステップＳＡ４でこの否決信号に基づく否決報知がなされることにより、説明者により「持ち出し不可」操作がなされたデータであるが故にデータ要求が否決されたことを知らしめることができる。
【００６６】
また、前記（５）の場合には、正当な聴講者からの要求であっても、データ送信禁止モードが設定されている場合は、要求否決信号が送信されることとなる。したがって、前記ステップＳＡ４でこの否決信号に基づく否決報知がなされることにより、本日のプレゼンテーションはデータ送信禁止モードであるが故にデータ要求が否決されたことを知らしめることができる。
【００６７】
しかし、ステップＳＢ８の判断がＮＯであった場合は、前記（１）の場合において、正当な聴講者ではなく不当な部外者のパソコンからのデータ要求であるが故に承認はＮＧとなった場合である。このような場合は、前述したステップＳＢ６のデータ送信処理を実行しないことは無論のこと、ステップＳＢ９の処理も実行することなく、ステップＳＢ１に戻る。
【００６８】
したがって、部外者のパソコンからデータ要求があっても、投影中のデータが送信されることはなく、プレゼンテーションにおけるデータの外部への漏洩を防止することができる。しかも、ステップＳＢ９の処理も実行されず、データ要求否決信号さえも送信しないことから、不当な部外者のパソコンからのデータ要求に対しては、一切応答せず無視することができる。
【００６９】
さらに、本実施の形態においては、データを送信する場合であっても、その送信周波数はデータ要求を行ったパソコンに応じて異なることから、部外者のパソコンがこれを受信することは極めて困難である。よって、プレゼンテーションにおけるデータを無線で正当な聴講者に送信するシステムにおいて、データの外部漏洩を未然に防止することができる。
【００７０】
なお、本実施の形態においては、各パソコン５からプロジェクタ１への送信周波数は共通とし、プロジェクタ１から各パソコン５への送信周波数をパソコン５毎に異なるものとしたが、各パソコン５からプロジェクタ１への送信周波数も各パソコン５毎に異なるものとしてもよい。このようにすれば、プロジェクタ１はパソコンＩＤを用いることなく、受信周波数でデータ要求信号を送信したパソコン５を特定することができる。
【００７１】
また、逆に共通かつ同一の送信周波数及び受信周波数でプロジェクタ１と各パソコン間で無線通信を行うようにしてもよい。これにより、無線通信処理が簡易なプレゼンテーションシステムを構築することができる。この場合、データ要求を行ったパソコン以外の他のパソコンもプロジェクタ１からのデータを受信することとなるが、受信したデータが不要であれば適宜消去すればよい。
【００７２】
また、本実施の形態においては、プロジェクタ１と各パソコン５とが無線通信によって接続されていることとしたが、プロジェクタ１と各パソコン５とが有線（例えば、ＬＡＮケーブル等）によって接続されているものとしてもよい。この場合、プロジェクタ１において入出力コネクタ部１６を複数設けるか、プロジェクタ１と各パソコン５とを有線でつなぐ中継機器を設けるかする必要があり、本システムを実施する上での必要構成要件が増えることになるが、有線接続であればパソコン５を識別する必要がなく、プロジェクタ１の処理を軽減することができる。
【００７３】
また、本実施の形態においては、プロジェクタ１の投影する当該プレゼンテーションに用いるスライド画像データは、入出力コネクタ部１６を介して外部から取り込むものとしたが、無線通信を介して接続された前記複数のパソコン５のいずれかをスライド画像データの提供媒体とし、無線通信部２８及び無線通信処理部２９を介して当該スライド画像データを取得することとしてもよい。
【００７４】
また、本実施の形態においては、無線通信を介してパソコン５側が任意のタイミングにおいてプロジェクタ１からスライド画像のデータを取得することとしたが、取得できるデータはスライド画像のデータに限らず、例えば動画データや音声データなども取得できることとしてもよい。
【図面の簡単な説明】
【００７５】
【図１】本発明の一実施の形態に係るプレゼンテーションシステムの構成を示すブロック図である。
【図２】プロジェクタの回路構成を示すブロック図である。
【図３】パソコンデータテーブルを示す概念図である。
【図４】パソコンの回路構成を示すブロック図である。
【図５】パソコンの処理手順を示すフローチャートである。
【図６】プロジェクタの処理手順を示すフローチャートである。
【符号の説明】
【００７６】
１    プロジェクタ
５    パソコン
１１    制御部
１２    入出力インターフェイス
１３    画像変換部
１４    表示エンコーダ
１５    表示駆動部
１６    入出力コネクタ部
１７    システムバス
１８    ビデオＲＡＭ
１９    表示素子
２０    光源装置
２８    無線通信部
２９    無線通信処理部
５１    バス
５２    制御部
５３    ＨＤＤ
５４    ＲＡＭ
５８    無線通信処理部
５９    インターフェイス部
６１    表示部
６２    キーボード
６３    マウス
６４    無線通信部
１１１    ＲＯＭ
１１２    ＲＡＭ
Ｔ    パソコンデータテーブル
【図１】
2009229642.tif 000003
【図２】
2009229642.tif 000004
【図３】
2009229642.tif 000005
【図４】
2009229642.tif 000006
【図５】
2009229642.tif 000007
【図６】
2009229642.tif 000008